(57)【要約】      （修正有）【課題】構成部品が少なく、カードを確実にロックするカード用コネクタを提供する。【解決手段】コネクタ１０は、板状のハウジング２とカバー３を備える。ハウジング２は、カード１が挿抜される凹部２１を形成する。カバー３は、ハウジング２の凹部２１を覆う平坦面３０を有する。カード１は、一方の端部に並設配置された接続端子と、一方の側面の途上に形成された略方形の溝部１ｂと、を有する。ハウジング２は、凹部２１の底面から接点４ａが突出して接続端子に接触するコンタクトを有する。カバー３は、突片３ａと一対の板ばね片３ｂ・３ｂを有する。突片３ａは、平坦面３０から部分的に突出しており、溝部１ｂに係合してカード１の脱落を防止する。板ばね片３ｂは、突片３ａが溝部１ｂに係合するように、カバー３の内面に向けてカード１の一方の面に力を付勢する。【選択図】図１
2010102830.tif 000002
【特許請求の範囲】
【請求項１】
カードが挿抜される凹部を形成する板状のハウジングと、このハウジングの凹部を覆う平坦面を有するカバーと、を備えるカード用コネクタであって、
前記カードは、一方の面の一方の端部に並設配置された接続端子と、一方の側面の途上に形成された略方形の溝部と、を有し、
前記ハウジングは、前記凹部の底面から接点が突出して前記接続端子に接触するコンタクトを有し、
前記カバーは、前記平坦面から部分的に突出する突片であって、前記溝部に係合して当該カードの脱落を防止する突片と、この突片が前記溝部に係合するように、当該カバーの内面に向けて当該カードの一方の面に力を付勢する付勢手段と、を有するカード用コネクタ。
【請求項２】
前記付勢手段は、前記カバーの両翼に設けられて、当該カバーの内面に向けて前記カードの一方の面の両翼に力を付勢する一対の板ばね片からなる請求項１記載のカード用コネクタ。
【請求項３】
前記カバーは、展開された金属板を加工して前記突片及び前記一対の板ばね片を一体に形成する請求項２記載のカード用コネクタ。
【請求項４】
前記カードの他方の面の他方の端部を押し下げて、前記溝部と前記突片との係合を解除する請求項１から３のいずれかに記載のカード用コネクタ。
【発明の詳細な説明】
【技術分野】
【０００１】
本発明は、カード用コネクタに関する。特に、本発明は、超小型メモリカードであるｍｉｃｒｏＳＤ（Ｓｅｃｕｒｅ  Ｄｉｇｉｔａｌ）カードなどのメモリカードが挿入されることによって、当該メモリカードと電気的に接続するカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器の記録メディアとして普及している。
【０００３】
フレキシブルディスク（ＦＤ）や光磁気ディスク（ＭＯ）などのディスク型の記憶装置に比較して、このメモリカードは記憶容量が小さく、又、高価であるとされてきた。しかし、近年の技術進歩やメモリカードを使用する機器の普及に伴う量産効果により、記憶容量も大きくなり、低価格となってきている。
【０００４】
更に、メモリカードは、データの読み書きにＦＤやＭＯなどのように駆動装置を必要としないというメリットがあるため、消費電力や携帯性が重要視されるデジタルカメラやノート型パソコン、携帯音楽プレーヤーには好適である。
【０００５】
このようなメモリカード用のコネクタとして、ハウジングにカードを挿入するための挿入力を低減し、かつ、ハウジングへカードを確実にロックすることができ、更に、カード排出時のカードの飛び出しを防止可能なカード用コネクタが開示されている（例えば、特許文献１参照）。
【０００６】
特許文献１によるカード用コネクタは、カードが挿抜されるハウジングとハウジングにカードを挿着したときにカードの接点と接触するコネクタ端子を備えている。又、特許文献１によるカード用コネクタは、カードの挿入、排出に伴って、カードの挿抜方向に移動するスライダとスライダをカードの挿入方向へ付勢する第１コイルばね、及びスライダをカードの排出方向へ付勢する第２コイルばねを備えている。そして、第１コイルばね及び第２コイルばねは、スライダ及びハウジングにそれぞれ常に接触している。
【特許文献１】特開２００７−２００８１５号公報
【発明の開示】
【発明が解決しようとする課題】
【０００７】
特許文献１によるカード用コネクタは、いわゆる、プッシュ・プッシュ型のイジェクト機構付きカード用コネクタと呼ばれ、カードをコネクタに挿入（プッシュ）するとロックされる。又、カードを押すと、ロックが解除されてカードがコネクタから排出される。
【０００８】
しかし、このようなイジェクト機構付きカード用コネクタは、カードの挿抜方向に移動するスライダ、このスライダに設けられたハート状のカム溝を案内する案内棒、及びスライダを付勢するコイルばねを少なくとも備えている。したがって、カード用コネクタの製造原価を高くする要因となっている。
【０００９】
構成部品を少なくして、かつ、カードを確実にロックするカード用コネクタが実現できれば、カード用コネクタの製造原価を低減することも可能になる。そして、以上のことが本発明の課題といってよい。
【００１０】
本発明は、このような問題に鑑みてなされたものであり、構成部品を少なくして、かつ、カードを確実にロックするカード用コネクタを提供することを目的とする。
【課題を解決するための手段】
【００１１】
本発明者は、カードの側面に形成する溝部を利用してロックすると共に、カードの端部を押し下げることによりロックが解除する仕組みにより、これらの課題が解決可能なことを見出し、これに基づいて、以下のような新たなカード用コネクタを発明するに至った。
【００１２】
（１）  カードが挿抜される凹部を形成する板状のハウジングと、このハウジングの凹部を覆う平坦面を有するカバーと、を備えるカード用コネクタであって、前記カードは、一方の面の一方の端部に並設配置された接続端子と、一方の側面の途上に形成された略方形の溝部と、を有し、前記ハウジングは、前記凹部の底面から接点が突出して前記接続端子に接触するコンタクトを有し、前記カバーは、前記平坦面から部分的に突出する突片であって、前記溝部に係合して当該カードの脱落を防止する突片と、この突片が前記溝部に係合するように、当該カバーの内面に向けて当該カードの一方の面に力を付勢する付勢手段と、を有するカード用コネクタ。
【００１３】
（１）の発明によるカード用コネクタは、板状のハウジングとカバーを備えている。ハウジングは、カードが挿抜される凹部を形成している。カバーは、ハウジングの凹部を覆う平坦面を有している。
【００１４】
カードは、複数の接続端子と略方形の溝部を有している。複数の接続端子は、カードの一方の面の一方の端部に並設配置されている。溝部は、カードの一方の側面の途上に形成されている。ハウジングは、接続端子に接触するコンタクトを有している。コンタクトは、凹部の底面から接点が突出している。
【００１５】
カバーは、突片と付勢手段を有している。突片は、前記平坦面から部分的に突出しており、溝部に係合してカードの脱落を防止する。付勢手段は、突片が溝部に係合するように、カバーの内面に向けてカードの一方の面に力を付勢する。
【００１６】
ここで、ハウジングは絶縁性を有している。絶縁性のハウジングとは、非導電性の材料からなるハウジングのことであってよく、合成樹脂を成形して、所望の形状の絶縁性のハウジングを得ることができる。
【００１７】
そして、ハウジングの凹部に複数のコンタクトが並設配置されている。並設とは、近接して一列に揃え、並べて設けることを意味している。コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００１８】
一般に、カードは、絶縁性のプラスチック筐体の内部にＩＣチップが収納されている。このＩＣチップは、筐体の表面に貼り付けられた複数の金属箔に接続されている。そして、並設配置された複数の金属箔がカードの接続端子となっている。ここで、個別のコンタクトは、個別の金属箔端子と一対一に接続されてよく、機械的及び電気的に接続する。
【００１９】
コンタクトは、ばねの働きが片持ち梁であるカンチレバーコンタクトが好ましく用いられる。コンタクトは、弾性アームと固定アームで構成されてよく、弾性アームは、凹部の底面から突出して、カードに形成された接続端子に接触する接点を設けてよく、固定アームは、凹部に圧入して固定することができる。
【００２０】
又、コンタクトの固定アームは、ハウジングに一体にモールド成形して固定することもできる。リード部を固定アームの端部に形成してもよく、このリード部をプリント基板にはんだ接合することにより、このカード用コネクタを表面実装用コネクタとすることができる。
【００２１】
ハウジングは、対向する一対の側壁と、一対の側壁と直交してカードの先端縁が当接する停止壁を有している。又、ハウジングは、一方の側壁に斜辺を設けてよく、この斜辺は、カードに形成された斜辺に適合するので、カードの誤挿入を防止できる。そして、一対の側壁、及び停止壁で囲われた薄直方体状の空間を「カードが挿抜される凹部」と規定できる。又、カード保持部とすることもできる。
【００２２】
この凹部がカバーで覆われることにより、停止壁と対向してカードが挿入される長方形の開口が形成される。ここで、対向する一対の側壁の距離は、カードの幅よりも充分に広く、一対の側壁がカードの両翼を規制して、カードの正しい姿勢（傾き）が維持され、カードの接続端子とコンタクトとを正しく位置合わせできる。
【００２３】
カバーは、例えば、金属薄板からなり、展開された金属薄板を成形加工することにより、所望の形状のカバーを得ることができる。カバーは、導電性の金属薄板からなることが好ましく、カバーの平坦面がハウジングを覆うことによりシールド効果が得られる。
【００２４】
カバーは、一方の端部側の両翼が直角に折り曲げ加工されて、一対の第１折り曲げ片を構成してよく、これらの第１折り曲げ片に矩形穴を形成し、ハウジングの両側面に突出するランスに係止するようにしてもよい。
【００２５】
又、カバーは、他方の端部側の両翼が直角に折り曲げ加工されて、一対の第２折り曲げ片を構成してよく、これらの第２折り曲げ片がカードの両側面をスライドして案内できる。
【００２６】
突片は、カバーの他方の端部側の片翼に段付き加工されてよく、平坦面から部分的に突出している。そして、突片の傾斜面をカードの挿入側に配置して、カードの挿入を容易にしている。段付き加工された突片の段差をカードの引抜き方向と対向するように配置すれば、この突片が溝部に係合して、カードの脱落を防止できる。つまり、ロックできる。
【００２７】
カバーは、前記一対の第２折り曲げ片が更に直角に折り曲げ加工されてよく、平坦面に対向する一対の対向片を形成できる。そして、これらの対向片に片持ち状の板ばね片を設けることにより、これらの板ばね片をカバーの内面に向けて当該カードの一方の面に力を付勢する付勢手段とすることができる。
【００２８】
又、カバーは、一対の対向片をプリント基板にはんだ接合してよく、プリント基板との接合強度を補強でき、一対の対向片をプリント基板のグラウンドに接地することもできる。凹部と対向するカバーの平坦面には、カードが挿入されたことを確認する窓を設けてもよい。
【００２９】
例えば、カードは、略矩形に形成されており、接続端子が配置される先端（一方の端部）側は、基端（他方の端部）側より幅が狭くなっている。カードの先端側は、平行する両側面の内、一方の側面が鈍角に開角された斜辺を形成し、基端側に平行する両側面の内の一方の側面に連続している。すなわち、カードの先端側は、一方の隅部が片刃状に切り欠かれた形状となっている。そして、略方形の溝部がカードの斜辺に隣接されている。
【００３０】
カードをハウジングの凹部に挿入すると、斜辺が突片を乗り越えることができる。更に、カードを挿入して、カードの先端縁が停止壁に当接すると、突片が溝部に係合して、装着状態となる。この装着状態では、付勢手段がカバーの内面に向けてカードの一方の面に力を付勢しているので、溝部と突片の係合状態を容易に解除しない。つまり、カードの装着状態を確実に維持できる。
【００３１】
カードの装着状態から、付勢手段の付勢力に抗して、カードの基端部を押すと、カードの先端縁を支点にカードを傾斜できる。そして、溝部と突片の係合が解除される。続いて、カードを引く抜くことによりカードをコネクタから離脱できる。
【００３２】
このように、（１）の発明によるカード用コネクタは、従来のようにプッシュ・プッシュ型のイジェクト機構を構成することなく、カードを確実にロックするカード用コネクタが実現できる。（１）の発明によるカード用コネクタは、構成部品を少なくしているので、製造原価の低減に寄与できる。
【００３３】
（２）  前記付勢手段は、前記カバーの両翼に設けられて、当該カバーの内面に向けて前記カードの一方の面の両翼に力を付勢する一対の板ばね片からなる（１）記載のカード用コネクタ。
【００３４】
（３）  前記カバーは、展開された金属板を加工して前記突片及び前記一対の板ばね片を一体に形成する（２）記載のカード用コネクタ。
【００３５】
（４）  前記カードの他方の面の他方の端部を押し下げて、前記溝部と前記突片との係合を解除する（１）から（３）のいずれかに記載のカード用コネクタ。
【発明の効果】
【００３６】
本発明によるカード用コネクタは、ハウジング、カバー、及び複数のコンタクトから構成しており、従来のようにプッシュ・プッシュ型のイジェクト機構を構成することなく、カードを確実にロックするカード用コネクタが実現できる。本発明によるカード用コネクタは、構成部品を少なくしているので、製造原価の低減に寄与できる。
【発明を実施するための最良の形態】
【００３７】
以下、図面を参照して本発明を実施するための最良の形態を説明する。
【００３８】
図１は、本発明によるカード用コネクタ（以下、コネクタと略称する）の一実施形態を示す斜視分解組立図である。図２は、前記実施形態によるコネクタの斜視図であり、カードが装着された状態図である。図３は、前記実施形態によるコネクタの平面図である。
【００３９】
図４は、前記実施形態によるコネクタの平面図であり、カードを装着する途上の状態図である。図５は、前記実施形態によるコネクタの平面図であり、カードを完全に装着した状態図である。図６は、前記実施形態によるコネクタの斜視図であり、カード及びコネクタを下面側から観ている。
【００４０】
図７は、前記実施形態によるコネクタの斜視図であり、カードが装着された状態図である。図８は、前記実施形態によるコネクタの斜視図であり、図７の要部拡大図である。図９は、前記実施形態によるコネクタの右側面図である。
【００４１】
図１０は、携帯電話機の斜視図であり、前記実施形態によるコネクタが携帯電話機に実装された状態図である。図１１は、図１０の要部拡大図である。図１２は、前記実施形態によるコネクタの縦断面図であり、カードがこのコネクタにロックした状態図である。図１３は、前記実施形態によるコネクタの縦断面図であり、カードのロックが解除された状態図である。
【００４２】
最初に、本発明の実施形態によるコネクタの構成を説明する。図１から図３を参照すると、コネクタ１０は、板状のハウジング２とカバー３を備えている。ハウジング２は、カード１が挿抜される凹部２１を形成している。カバー３は、ハウジング２の凹部２１を覆う平坦面３０を有している。ハウジング２は、絶縁性の合成樹脂材で矩形状に成形されている。
【００４３】
図１又は図３を参照すると、カード１は、略矩形に形成されており、接続端子１１（図６参照）が配置される先端（一方の端部）側は、基端（他方の端部）側より幅が狭くなっている。
【００４４】
図１又は図３を参照すると、カード１の先端側は、平行する両側面の内、一方の側面が鈍角に開角された斜辺１ａを形成し、基端側に平行する両側面の内の一方の側面に連続している。図示したカード１の先端側は、一方の隅部が片刃状に切り欠かれた形状となっている。そして、略方形の溝部１ｂがカード１の斜辺１ａに隣接している。つまり、溝部１ｂは、カード１の一方の側面の途上に形成されている。
【００４５】
図６に示されるように、複数の接続端子１１は、カード１の一方の面の一方の端部に並設配置されている。一方、図１又は図３を参照すると、ハウジング２は、接続端子１１に接触するコンタクト４を有している。コンタクト４は、凹部２１の底面から接点４ａが突出している。
【００４６】
コンタクト４は、導電性を有しており、導電性の金属板を打ち抜き加工又は折り曲げ加工して形成されている。コンタクト４は、接続端子１１と一対一に接続されてよく、機械的及び電気的に接続する。
【００４７】
図１又は図３を参照すると、コンタクト４は、ばねの働きが片持ち梁であるカンチレバーコンタクトとなっている。コンタクト４は、弾性アームと固定アームで構成されており、弾性アームは、凹部２１の底面から突出して、接続端子１１に接触する接点４ａを設けている。コンタクト４の固定アームは、ハウジング２に一体にモールド成形して固定している。
【００４８】
図１又は図６を参照すると、コンタクト４は、固定アームの端部にリード部４ｂを形成している。これらのリード部４ｂをプリント基板１ｐ（図２参照）に、はんだ接合することにより、コネクタ１０を表面実装用コネクタとすることができる。
【００４９】
図１又は図３を参照すると、ハウジング２は、対向する一対の側壁２１ａ・２１ｂと、一対の側壁２１ａ・２１ｂと略直交してカード１の先端縁が当接する停止壁２１ｃを有している。又、図４を参照すると、ハウジング２は、一方の側壁２１ａに斜辺２１ｄを設けている。斜辺２１ｄは、カード１の斜辺１ａに適合できるので、カード１の誤挿入を防止できる。
【００５０】
図１又は図２を参照すると、凹部２１がカバー３で覆われることにより、停止壁２１ｃと対向してカード１が挿入される長方形の開口２２が形成される。対向する一対の側壁２１ａ・２１ｂの距離は、カード１の幅よりも充分に広く、一対の側壁２１ａ・２１ｂがカード１の両翼を規制して、カード１の正しい姿勢（傾き）が維持され、カード１の接続端子１１とコンタクト４とを正しく位置合わせできる。
【００５１】
図１又は図３を参照すると、コネクタ１０は、カード１を検出する検出スイッチ５をハウジング２の凹部２１の片翼に配置している。検出スイッチ５は、接触板５１と被接触板５２で構成している。
【００５２】
図４を参照すると、接触板５１は、固定片５１１、可動片５１２、及び接点５１３を有している。固定片５１１は、凹部２１の底壁に固定している。又、可動片５１２は、先端部が開口２２と反対側に延びている。そして、接点５１３は、可動片５１２の先端部に設けている。
【００５３】
図４又は図６を参照すると、被接触板５２は、固定片５２１と接点５２３を有している。固定片５２１は、ハウジング２の隅部に固定されている。接点５２３は、固定片５２１の先端部が屈折されて接点５１３に近接配置されている。
【００５４】
図５を参照すると、カード１を凹部２１に挿入すると、カード１の隅部が可動片５１２を変形させて、接点５１３を接点５２３に接触できる。つまり、カード１がコネクタ１０に挿入されたことを電気的に検出できる。
【００５５】
図１又は図２及び図６を参照すると、カバー３は、金属薄板からなり、図示しない展開された金属薄板が成形加工されている。カバー３は、導電性の金属薄板からなり、カバー３の平坦面３０がハウジング２を覆うことによりシールド効果が得られる。
【００５６】
図１又は図２及び図６を参照すると、カバー３は、一方の端部側の両翼が直角に折り曲げ加工されて、一対の第１折り曲げ片３１・３１を構成している。一対の第１折り曲げ片３１・３１には、一組の矩形穴３１１・３１１を形成している。一組の矩形穴３１１・３１１は、ハウジング２の両側面に突出するランス２ｒに係止できる（図４参照）。
【００５７】
又、図１又は図２及び図６を参照すると、カバー３は、他方の端部側の両翼が直角に折り曲げ加工されて、一対の第２折り曲げ片３２・３２を構成している。一対の第２折り曲げ片３２・３２は、カード１の両側面をスライドして案内できる。
【００５８】
図１又は図２及び図７又は図８を参照すると、カバーは、平坦面３０から部分的に突出する突片３ａを有している。突片３ａは、カバー３の他方の端部側の片翼に段付き加工されている。そして、突片３ａの傾斜面をカード１の挿入側に配置している。又、突片３ａの段差をカード１の引抜き方向と対向するように配置している。突片３ａは、溝部１ｂに係合して、カード１の脱落を防止できる。
【００５９】
図６を参照すると、カバー３は、一対の第２折り曲げ片３２・３２が更に直角に折り曲げ加工されて、平坦面３０に対向する一対の対向片３３・３３を形成している。そして、一対の対向片３３・３３に片持ち状の板ばね片３ｂを設けることにより、これらの板ばね片３ｂ・３ｂをカバー３の内面に向けてカード１の一方の面に力を付勢する付勢手段としている。
【００６０】
又、図２及び図６を参照すると、カバー３は、一対の対向片３３・３３をプリント基板１ｐにはんだ接合してよく、プリント基板１ｐとの接合強度を補強できる。一対の対向片３３・３３をプリント基板のグラウンドに接地することもできる。凹部２１と対向するカバー３の平坦面３０には、カード１が挿入されたことを確認する窓３４を設けている。
【００６１】
次に、本発明の実施形態によるコネクタの作用を説明する。
【００６２】
図１又は図６を参照すると、カード１は、略矩形に形成されており、接続端子１１が配置される先端（一方の端部）側は、基端（他方の端部）側より幅が狭くなっている。カード１の先端側は、平行する両側面の内、一方の側面が鈍角に開角された斜辺１ａを形成し、基端側に平行する両側面の内の一方の側面に連続している。図示されたカードの先端側は、一方の隅部が片刃状に切り欠かれた形状となっている。そして、略方形の溝部１ｂがカード１の斜辺１ａに隣接されている。
【００６３】
図１及び図７又は図８を参照すると、カード１をハウジング２の凹部２１に挿入すると、斜辺１ａが突片３ａを乗り越えることができる。更に、カード１を挿入して、カード１の先端縁が停止壁２１ｃに当接すると、突片３ａが溝部１ｂに係合して、装着状態となる（図１２参照）。
【００６４】
図１２に示された、カード１の装着状態では、一対の板ばね片３ｂ・３ｂがカバー３の内面に向けてカード１の一方の面に力を付勢しているので、溝部１ｂと突片３ａの係合状態を容易に解除しない。つまり、コネクタ１０は、カード１の装着状態を確実に維持できる。
【００６５】
図１３を参照すると、カード１の装着状態から、一対の板ばね片３ｂ・３ｂの付勢力に抗して、カード１の基端部を押すと、カード１の先端縁を支点にカード１を傾斜できる。そして、溝部１ｂと突片３ａの係合が解除される。続いて、カード１を引く抜くことによりカード１をコネクタ１０から離脱できる（図９参照）。
【００６６】
例えば、図１０に示されるように、コネクタ１０は、携帯電話機Ｔに実装できる。カード１がコネクタ１０に装着された状態では、カード１の基端部は、携帯電話機Ｔの段差に臨んでおり、カード１の基端部を押して、更にカード１を引く抜くことによりカード１をコネクタ１０から離脱できる（図１１参照）。カード１の基端部には、段差１ｃを設けているので、爪を係止してカード１を引く抜くことができる。
【００６７】
このように、本発明の実施形態によるカード用コネクタは、従来のようにプッシュ・プッシュ型のイジェクト機構を構成することなく、カードを確実にロックするカード用コネクタが実現できる。本発明の実施形態によるカード用コネクタは、構成部品を少なくしているので、製造原価の低減に寄与できる。
【図面の簡単な説明】
【００６８】
【図１】本発明によるカード用コネクタの一実施形態を示す斜視分解組立図である。
【図２】前記実施形態によるカード用コネクタの斜視図であり、カードが装着された状態図である。
【図３】前記実施形態によるカード用コネクタの平面図である。
【図４】前記実施形態によるカード用コネクタの平面図であり、カードを装着する途上の状態図である。
【図５】前記実施形態によるカード用コネクタの平面図であり、カードを完全に装着した状態図である。
【図６】前記実施形態によるカード用コネクタの斜視図であり、カード及びカード用コネクタを下面側から観ている。
【図７】前記実施形態によるカード用コネクタの斜視図であり、カードが装着された状態図である。
【図８】前記実施形態によるカード用コネクタの斜視図であり、図７の要部拡大図である。
【図９】前記実施形態によるカード用コネクタの右側面図である。
【図１０】携帯電話機の斜視図であり、前記実施形態によるカード用コネクタが携帯電話機に実装された状態図である。
【図１１】図１０の要部拡大図である。
【図１２】前記実施形態によるカード用コネクタの縦断面図であり、カードがカード用コネクタにロックした状態図である。
【図１３】前記実施形態によるカード用コネクタの縦断面図であり、カードのロックが解除された状態図である。
【符号の説明】
【００６９】
１  カード
１ｂ  溝部
２  ハウジング
３  カバー
３ａ  突片
３ｂ  板ばね片（付勢手段）
４  コンタクト
４ａ  接点
１０  コネクタ（カード用コネクタ）
１１  接続端子
２１  凹部
３０  平坦面
【図１】
2010102830.tif 000003
【図２】
2010102830.tif 000004
【図３】
2010102830.tif 000005
【図４】
2010102830.tif 000006
【図５】
2010102830.tif 000007
【図６】
2010102830.tif 000008
【図７】
2010102830.tif 000009
【図８】
2010102830.tif 000010
【図９】
2010102830.tif 000011
【図１０】
2010102830.tif 000012
【図１１】
2010102830.tif 000013
【図１２】
2010102830.tif 000014
【図１３】
2010102830.tif 000015